(57)【要約】      （修正有）【課題】掬ったフードが給餌者の手の方に落ちたり垂れたりすることを抑制することができるペット用給餌具の提供。【解決手段】把持部１１と、ペースト状のフードを掬うべく前記把持部１１の軸方向に略直交する方向に広がる板状部材１３と、前記板状部材１３及び前記把持部１１の間に介在する鍔部１５と、を備えることを特徴とするペット用給餌具１。前記板状部材１３は、前記把持部１１の軸方向に沿って所定の間隔で配置された複数の板状片１３１，１３２，１３３、１３４、１３５を含むことが好ましい。また、前記鍔部１５は、前記板状部材１３よりも外側に広がっていることが好ましい。【選択図】図１
2019154297.tif 000002
【特許請求の範囲】
【請求項１】
把持部と、
ペースト状のフードを掬うべく前記把持部の軸方向に略直交する方向に広がる板状部材と、
前記板状部材及び前記把持部の間に介在する鍔部と、
を備えることを特徴とするペット用給餌具。
【請求項２】
前記板状部材は、前記把持部の軸方向に沿って所定の間隔で配置された複数の板状片を含むこと、
を特徴とする請求項１に記載のペット用給餌具。
【請求項３】
前記所定の間隔は、いずれか１つの前記板状片の厚み以上であること、
を特徴とする請求項２に記載のペット用給餌具。
【請求項４】
前記鍔部は、前記板状部材よりも外側に広がっていること、
を特徴とする請求項１〜３のいずれかに記載のペット用給餌具。
【請求項５】
前記鍔部は、前記ペット用給餌具が載置された状態で前記ペット用給餌具が前記鍔部の周方向に沿って転がることを抑制する転がり規制部を有すること、
を特徴とする請求項４に記載のペット用給餌具。
【発明の詳細な説明】
【技術分野】
【０００１】
本発明は、ペット用給餌具に関し、特に、ペースト状のフードをペットに食べさせるための給餌具に関する。
【背景技術】
【０００２】
ハニーディッパーという、例えばらせん状の先端部で蜂蜜を掬（すく）って絡ませて食べる道具が知られている（例えば特許文献１）
【先行技術文献】
【特許文献】
【０００３】
【特許文献１】特開２０１６−５２９１２号公報、図１Ａ
【発明の概要】
【発明が解決しようとする課題】
【０００４】
ハニーディッパーは一般に人用の道具である。人がこの道具で食事する場合には、掬ったフードが落ちたり垂れたりしないように道具を操作することができる。しかし、この道具でペットに食事をさせる場合、ペットがフードを食べやすいように、ペットが触れたとしても道具をできるだけ静止させておくことが好ましい。その結果として、掬ったフードが落ちたり垂れたりして、給餌者の手などを汚す可能性がある。
【０００５】
そこで、本発明は、掬ったフードが給餌者の手の方に落ちたり垂れたりすることを抑制することができるペット用給餌具の提供を目的とする。
【課題を解決するための手段】
【０００６】
上述した課題を解決すべく、本発明は、把持部と、ペースト状のフードを掬うべく前記把持部の軸方向に略直交する方向に広がる板状部材と、前記板状部材及び前記把持部の間に介在する鍔部と、を備えることを特徴とするペット用給餌具を提供する。
【０００７】
上記のような構成を有する本発明のペット用給餌具では、前記板状部材が、前記把持部の軸方向に沿って所定の間隔で配置された複数の板状片を含むこと、が好ましい。
【０００８】
また、上記のような構成を有する本発明のペット用給餌具では、前記所定の間隔が、いずれか１つの前記板状片の厚み以上であること、が好ましい。
【０００９】
また、上記のような構成を有する本発明のペット用給餌具では、前記鍔部が、前記板状部材よりも外側に広がっていること、が好ましい。
【００１０】
また、上記のような構成を有する本発明のペット用給餌具では、前記鍔部が、前記ペット用給餌具が載置された状態で前記ペット用給餌具が前記鍔部の周方向に沿って転がることを抑制する転がり規制部を有すること、が好ましい。
【発明の効果】
【００１１】
上記本発明のペット用給餌具を用いることにより、掬ったフードが給餌者の手の方に落ちたり垂れたりすることを抑制することができる。したがって、給餌者は手を汚さずに済ませることができる。
【図面の簡単な説明】
【００１２】
【図１】本発明の実施形態に係るペット用給餌具１を示す斜視図である。
【図２】図１のペット用給餌具１の正面図である。
【図３】図１のペット用給餌具１の左側面図である。
【図４】本実施形態の変形例に係るペット用給餌具２を示す正面図である。
【図５】図４のペット用給餌具２の左側面図である。
【発明を実施するための形態】
【００１３】
以下、本発明の代表的な実施形態に係るペット用給餌具について、図面を参照しつつ詳細に説明する。ただし、本発明はこれら図面に限定されるものではない。
【００１４】
図面は、本発明を概念的に説明するためのものであるから、理解容易のために、必要に応じて寸法、比又は数を誇張又は簡略化して表している場合もある。ここでは、説明の便宜上、Ｘ軸を把持部の軸方向（長手方向）に取り、Ｘ軸に直交する平面をＹＺ平面とする。そして、Ｙ軸を鍔部の転がり規制部と平行に取り、Ｘ軸とＹ軸とに直交するようにＺ軸を定めることとする。
【００１５】
図１〜図３を参照して、本実施形態に係るペット用給餌具１を説明する。
ペット用給餌具１は、ペースト状のフードを掬ってその粘性及び表面張力によって絡ませるように保持させつつ、ペットに食べさせるために使用される。本実施形態ではペットとして犬や猫を想定しているが、これに限られるものではない。ペット用給餌具１の寸法は、想定されるペットの種類（例えば犬、猫など）やサイズ（例えば大型、小型など）に応じて適宜選択されてよい。例えば、中型の猫や小型の犬に対しては、ペット用給餌具の寸法（全長）は１０ｃｍほどでよい。
【００１６】
図１に示すように、ペット用給餌具１は、把持部１１、板状部材１３及び鍔部１５を含む。本実施形態では、ペット用給餌具１は、例えばシリコーンゴムのような合成樹脂の一体成型品であるが、例えば金属や木材のような他の材料で作製されてもよいし、各構成要素が別パーツとして構成されてもよい。
【００１７】
把持部１１は、給餌者によって把持される柄であり、図においてＸ軸方向に沿って延びている。この把持部１１が短いと、給餌者とペットとの距離が近くなり、例えばペットが給餌者の腕に掴まりながら食事するなど、ペットとのスキンシップの増大を図ることができる。ここでいう「短い」とは、給餌者が把持部１１を把持した際に把持部１１に所謂アソビがあまりないことを指し、例えばペット用給餌具の全長が１０ｃｍほどである場合、把持部は６ｃｍほどである。
【００１８】
把持部１１には、例えば溝のような滑り止め１１１が周方向に沿って設けられていてもよい。また、把持部１１では、給餌者が把持しやすいように先端側（鍔部１５とは反対側）が太く形成されていてもよい。把持部１１の一部がシリコーンゴムなどのゴムのような滑り止め効果を有する合成樹脂製であってもよい。
【００１９】
次いで、板状部材１３は、ペースト状のフードを掬うための部材であり、把持部１１の軸方向に略直交する方向、つまりＹＺ平面に略平行に広がっている。板状部材１３は、ペットの舌や口が傷付かないように表面や縁部が滑らかに処理されていてもよい。板状部材１３は、ペースト状のフードを掬いやすく、かつペットが板状部材１３上のフードを食べやすいように、図２の正面図でみた場合（Ｚ軸方向からみた場合）に、全体としての外形が紡錘形ないし卵型を呈している。
【００２０】
本実施形態においては、板状部材１３は、複数の板状片１３１〜１３５を含む。図２に示すように、板状片１３１〜１３５は、把持部１１の軸方向（Ｘ軸方向）に沿って所定の間隔Ｄで配置されている。
【００２１】
この間隔Ｄは、いずれか１つの板状片（例えば板状片１３２〜１３４）の板厚Ｔ以上であること（即ち、式：Ｄ≧Ｔ（但し、単位は同一）が成り立つこと）が好ましい。間隔Ｄが板厚Ｔ以上であると、ペットの舌が板状片同士の隙間に入りやすく、また、ペースト状の食べ物を保持しやすい。あるいは、間隔Ｄは、ペットの舌の厚みに応じて適宜設定されてもよい。
【００２２】
板状片１３１〜１３５は略円盤状を呈している。先端に位置する板状片１３１は、外側に向かって膨出し、ペットの口や舌が傷付かないように保護している。なお、ここでは板状片は５枚であるが、板状片の枚数に制限はない。
【００２３】
板状片１３１〜１３５では、中央に位置する板状片１３３の径が最大で、次いでその両隣に位置する板状片１３２，１３４の径が大きく、両端に位置する板状片１３１，１３５の径が最小である。これにより、板状部材１３は全体として紡錘形ないし卵型をなしている。
【００２４】
鍔部１５は、板状部材１３上のフードが給餌者の手に垂れてくることを抑制するために設けられる。例えば図１に示すように、鍔部１５は、板状部材１３及び把持部１１の間に介在している。
【００２５】
図３に示すように、鍔部１５は、略円板状であり、板状部材１３よりも外側に広がっている。つまり、鍔部１５は、板状部材１３よりも大きな径を有している。これにより、ペット用給餌具１が例えばテーブル上に載置されたときに、板状部材１３及び掬ったフードが載置面に接触せず、衛生的である。なお、ペット用給餌具１が載置された状態において板状部材１３が載置面から離れるように、ペット用給餌具１の重心は把持部１１側にあることが好ましい。
【００２６】
鍔部１５は、転がり規制部１５１を有する。転がり規制部１５１は、ペット用給餌具１が載置された状態でペット用給餌具１が鍔部１５の周方向に沿って転がることを抑制する。
【００２７】
ここでは、転がり規制部１５１は、鍔部１５を構成する円盤状部材を部分的に平坦にすることで形成されるが、本発明はこれに限られない。例えば、転がり規制部は、鍔部１５の外縁から突出する複数の突起でもよい。
【００２８】
このようなペット用給餌具１を使用して給餌する際には、給餌者はまず、把持部１１を把持し、板状部材１３でフードを掬って絡ませて付着乃至は保持する。そして、板状部材１３に付着したフードをペットに食べさせる。
【００２９】
このとき、板状部材１３が把持部１１に対して上方に位置するようにすることで、フードが板状部材１３から剥離したり流れ出ても、鍔部１５によって給餌者の手に落ちたり垂れたりすることが抑制される。例えば、ペット用給餌具１を把持部１１の軸方向を中心に回転させることで、粘度が比較液低いフード（例えば蜂蜜）が鍔部１５から垂れることを効果的に抑制しながら、ペットに給餌することが可能となる。
【００３０】
（変形例）
図４及び図５を参照して、本実施形態の変形例に係るペット用給餌具２を説明する。
ペット用給餌具２は、本実施形態に係るペット用給餌具１と同様に、把持部２１、板状部材２３及び鍔部２５を含む。ただし、ペット用給餌具２は、板状部材２３を構成する板状片２３１〜２３５、特に板状片２３２〜２３４において、本実施形態に係るペット用給餌具１と相違している。
【００３１】
具体的に、板状片２３２〜２３４は、図４に示すように把持部２１の軸方向（Ｘ軸方向）に波打つ形状を有している。これにより、様々な粘度のフードに対応しやすい。
また、板状片２３２〜２３４の外縁は、図５に示すように周方向に沿って波打つ形状を呈している。これにより、給餌者はフードを掬いやすくなる。
【００３２】
以上、本発明の代表的な実施形態について説明したが、本発明はこれらに限定されるものではなく、種々の設計変更が可能であり、それらも本発明に含まれる。
【符号の説明】
【００３３】
１，２・・・ペット用給餌具、
１１，２１・・・把持部、
１３，２３・・・板状部材、
１５，２５・・・鍔部、
１３１〜１３５，２３１〜２３５・・・板状片。
【図１】
2019154297.tif 000003
【図２】
2019154297.tif 000004
【図３】
2019154297.tif 000005
【図４】
2019154297.tif 000006
【図５】
2019154297.tif 000007